(57)【特許請求の範囲】
【請求項１】
首振パイプを袋ナットで蛇口の口部に取り付けた首振パイプ付き蛇口に用いられ、前記蛇口の口部と前記首振パイプの末端部に係止され、前記口部から液体が吐出するときに、前記液体に溶解している気体からマイクロバブルを生成する首振パイプ付き蛇口用マイクロバブル生成器であって、
外周に突条、内部に前記液体を通し、前記液体に溶解している気体からマイクロバブルを生成する流路を有するインサートを備え、
前記突条が、
前記口部の内部の内第一段差部と、前記首振パイプの末端部との間に位置し、前記袋ナットの前記口部への螺合で、前記口部とインサートの間をシールすることを特徴とする首振パイプ付き蛇口用マイクロバブル生成器。
【請求項２】
液体を吐出する、外周に外ネジ部、内周に輪状の内第一段差部を有する口部を備える蛇口と、内側に向け輪状に窪む凹部を備え、袋ナットで前記蛇口の前記口部に取り付けられる首振パイプと、前記首振パイプに嵌められ、前記口部の内第一段差部に当接する輪状のＵパッキンと、前記凹部に嵌り前記Ｕパッキン及び前記口部の先端に接触するリングと、穴に前記首振パイプを通し、前記リングを内部に収納したうえで、前記口部の外ネジ部に内ネジで螺合する袋ナットとからなり、前記袋ナットの前記口部への螺合により前記首振パイプを回動可能に前記口部に接続するとともに、前記Ｕパッキン及びリングで接続部がシールされる首振パイプ付き蛇口に、
用いられ、
前記口部から液体が吐出するときに、前記液体に溶解している気体からマイクロバブルを生成する首振パイプ付き蛇口用マイクロバブル生成器であって、
外周に突条、内部に前記液体を通し、前記液体に溶解している気体からマイクロバブルを生成する流路を有するインサートを備え、
前記突条が、
前記口部の内部の内第一段差部と、前記首振パイプの末端部との間に位置し、前記袋ナットの前記口部への螺合で、前記口部とインサートの間をシールすることを特徴とする首振パイプ付き蛇口用マイクロバブル生成器。
【請求項３】
液体を吐出する、外周に外ネジ部、内周に輪状の内第一段差部を有する口部を備える蛇口と、内側に向け輪状に窪む凹部を備えた首振パイプと、前記首振パイプに嵌められ、前記口部の内第一段差部に当接する輪状のＵパッキンと、前記凹部に嵌り前記Ｕパッキン及び前記口部の先端に接触するリングと、穴に前記首振パイプを通し、前記リングを内部に収納したうえで、前記口部の外ネジ部に内ネジで螺合する袋ナットとからなり、前記袋ナットの前記口部への螺合により前記首振パイプを回動可能に前記口部に接続するとともに、前記Ｕパッキン及びリングで接続部がシールされる首振パイプ付き蛇口に、
用いられ、
前記口部から液体が吐出するときに、前記液体に溶解している気体からマイクロバブルを生成する首振パイプ付き蛇口用マイクロバブル生成器であって、
前記口部の外ネジ部に螺合する内ネジ部、前記袋ナットの内ネジに螺合する外ネジ部、前記内ネジ部の下端に位置する上段差、及び前記外ネジ部の内側に設けられた下段差を備えるジョイント管と、
前記上段差に載置される第一パッキンと、
外周に前記第一パッキン上に係止される突条、内部に前記液体を通し、前記液体に溶解している気体からマイクロバブルを生成する流路を有し、前記ジョイント管内に挿入され、位置するインサートと、からなり、
前記ジョイント管が前記口部の外ネジ部及び前記袋ナットの内ネジに螺合することで、前記第一パッキンが前記口部の先端とジョイント管の前記上段差の間をシールし、前記袋ナット内の前記首振パイプに嵌められた前記Ｕパッキン及びリングが前記ジョイント管、前記首振パイプ及び前記袋ナットの間をシールするとともに、前記インサートが位置固定されることを特徴とする首振パイプ付き蛇口用マイクロバブル生成器。
【請求項４】
前記液体を旋回させ流速を上げる偏芯穴を備えるトルネードプレートを、前記インサートの上流側に配置したことを特徴とする請求項３に記載の首振パイプ付き蛇口用マイクロバブル生成器。
【請求項５】
さらに、前記インサートの突条に位置する外縁を一端に備え、内部空洞で、他端に内縁を備え、前記内縁側端部が前記口部の内部の内第一段差部に係止されるキャップと、前記キャップの内縁の内部に係止されるとともに、他端が前記インサートの上流側に位置する、前記液体を旋回させ流速を上げる偏芯穴を有するトルネードプレートと、
を備えてなり、
前記キャップで、前記トルネードプレートを前記インサート上流側に位置決めすることを特徴とする請求項３に記載の首振パイプ付き蛇口用マイクロバブル生成器。
【請求項６】
さらに、前記外縁に載置される第二パッキンを備え、
前記第二パッキンが前記外縁と前記口部の内部の間の緩衝材となることを特徴とする請求項３に記載の首振パイプ付き蛇口用マイクロバブル生成器。
【請求項７】
前記流路が、
内部より両端に向かって径が広がることを特徴とする請求項３に記載の首振パイプ付き蛇口用マイクロバブル生成器。
【請求項８】
前記流路が、
前記液体の入口側端部から中心部にいくにしたがって内径が徐々に狭まる第一流路と、
前記第一流路に接続する円柱状の第二流路と、
前記第二流路に接続し前記液体の出口側他端に向け内径が徐々に広がる第三流路と、
からなることを特徴とする請求項３に記載の首振パイプ付き蛇口用マイクロバブル生成器。
【請求項９】
請求項１〜請求項８の何れか１項に記載の首振パイプ付き蛇口用マイクロバブル生成器を内蔵したことを特徴とする首振パイプ付き蛇口。
【発明の詳細な説明】
【技術分野】
【０００１】
本発明は、首振パイプ付き蛇口から水道水などの液体が吐出するときに、液体に溶解した空気などの気体からマイクロバブルを生成するとともに、簡易に、首振パイプ付き蛇口に取り付けられる首振パイプ付き蛇口用マイクロバブル生成器、及びそのマイクロバブル生成器を内蔵した首振パイプ付き蛇口に関する。
【背景技術】
【０００２】
マイクロバブルについての研究は、１９８５年頃からスタートした。マイクロバブルは、新しい技術分野であるため、解明されていない点も多い。現在、マイクロバブルについて以下の２つの現象が知られている。
【０００３】
一つは、マイクロバブルのサイズが小さいことから繊維や毛穴などの奥まで入り込み易い浸透現象である。もう一つは、圧壊である。圧壊は、マイクロバブルが水中に吐出されることで、水中の水圧に押しつぶされ、さらに小さなナノバブルとなり、やがて破壊される現象である。この圧壊が起きる時に、時速約４００キロ前後の超音波が発生し、５５００度近い高熱を発すると言われている。そして、この２つの現象の相互作用により、汚れなどが取れやすくなると言われている。
【０００４】
その他の具体的利用例として、水産分野においては、水中にマイクロバブルを発生させることで淡水魚と海水魚を同時に生育させる事例、カキの赤潮被害を防止した事例、ホタテの養殖効率を向上させた事例などが報告されている。
【０００５】
また、船舶分野においては、マイクロバブルを船底に流して船の抵抗を軽減させ、船のスピードを上げる研究がある。また、自動車関連分野においては、内燃機関（エンジン）にマイクロバブル生成器を通して、空気を含んだ混合燃料を噴射させることで、燃焼効率の改善を行う技術も研究されている。
【０００６】
また、大気中の空気を取り込み、マイクロバブルを発生させる装置を付けたシャワーヘッドなどが販売されている。さらに、浴槽用の循環式マイクロバブル発生装置なども販売されている。
【０００７】
以上のように、マイクロバブルについての利用、研究は、広範な技術分野で行われている。
【０００８】
ここで、マイクロバブルを発生させる手段として、高速せん断方式、加圧圧壊方式、キャビテーション方式など、９種類ほどが知られている。その多くが、アスピレータ方式などで、外部から空気を吸引している。或いは、強制注入している。
【０００９】
他方、特許文献１には、外部から空気を吸入することなく、溶存空気からマイクバブルを発生させる、キャビテーション方式のマイクロバブル発生装置が公開されている。
【００１０】
特許文献１のマイクロバブル発生装置は、高圧ポンプによる旋回流を必要としない簡単な構造で、高速の水流が、狭い間隔で配置した複数個のノズルを通過する際に生じるキャビテーションを利用して、溶存空気によるマイクロバブルを発生させるものであって、（ａ）入口２ｅから出口２ｆに向かってその中心軸に直交する断面積を漸減する通水用入口側の第１ノズル３と、（ｂ）入口側の第１ノズル３との間に連通路８を介して連続して配設され、入口４ｅから出口４ｆに向かってその中心軸に直交する断面積を漸増する通水用出口側の第２ノズル４と、（ｃ）前記連通路８にのみ開口した側室８ｂとを有することを特徴とするものである。
【００１１】
しかしながら、マイクロバブル生成器を既存の配管への簡易な配置する手段、既存の液流体を用いた具体的実用例については、十分な提案がなされていない。
【００１２】
他方、特許文献２には、シャワーヘッドにベンチュリー管１を内蔵させた、マイクロバブルを発生させるシャワーヘッドが開示されている。しかし、ベンチュリー管１は、シャワーヘッド内部に既存品では通常存在しない環状の突起部にゴムパッキン７を係止して、ベンチュリー管１を係止し、止水している。したがって、当該発明に特化した特注（内部環状突起を備える）のシャワーヘッドが必要である。
【００１３】
そこで、本願発明者は、既に、特許文献３のマイクロバブル生成器を発明している。特許文献３のマイクロバブル生成器は、気体を溶解した液体からマイクロバブルを生成するマイクロバブル生成器であって、外周に溝が穿設され内部に前記液体を通しマイクロバブルを生成するマイクロバブル生成路を備える筒と、前記溝に嵌められ弾性を備えるＯリングと、からなり、前記液体を被送液場所に流す送液管内に配置され、前記Ｏリングで前記送液管と前記筒との間をシールすることを特徴とする。
【００１４】
しかしながら、特許文献３の発明は、蛇口の口部の上流側の配管を切断又は取り外して、装着するもので、煩雑の作業を伴うものであった。
【００１５】
他方、蛇口として、例えば、図１０に示す、首振パイプ付き蛇口が普及している。従来の首振パイプ付き蛇口２０は、蛇口２１と、首振パイプ２５と、袋ナット２６と、Ｕパッキン２７と、リング２８とからなる。
【００１６】
蛇口２１は、上流側に壁やカウンターなどに穿設された配管穴に係止するフランジ２２ａを備え、他端に液体の吐出口である口部２４を備え、コマの位置で内部にある流量が調整される流路を備えた本体２２と、前記コマの位置を回転で調節するハンドル２３とからなる。
【００１７】
口部２４は、外周に外ネジ部２４ａ、内周に輪状の内第一段差部２４ｃ、内第一段差部２４ｃより奥に位置する輪状の内第二段差部２４ｄを備え、液体を吐出する。なお、内第二段差部２４ｄの無い蛇口もある。従来、内第二段差部２４ｄで、首振パイプ２５の蛇口２１内部への侵入を防止していたが、昨今は、リング２８のみでも十分に首振パイプ２５の蛇口内部への侵入、脱落を防止できるようになっている。
【００１８】
首振パイプ２５は、内側に向け輪状に窪む凹部２５ｂを備え、末端部２５ａが内第二段差部２４ｄに当接することで蛇口２１内部へ侵入しない。Ｕパッキン２７は、首振パイプ２５に嵌められ、口部２４の内第一段差部２４ｃに当接する輪状のパッキンである。リング２８は凹部２５ｂに嵌りＵパッキン２７と口部２４の先端２４ｂに接触する。袋ナット２６は、穴を有し、その穴に首振パイプ２５を通し、リング２８を内部に収納したうえで、口部２４の外ネジ部２４ａに内ネジ２６ａで螺合する。
【００１９】
そして、従来の首振パイプ付き蛇口２０は、袋ナット２６の口部２４への螺合により、首振パイプ２５を回動可能に口部２４に接続するとともに、袋ナット２６がＵパッキン２７及びリング２８を内第一段差部に押圧し、Ｕパッキン２７及びリング２８の弾性変形で、口部２４と首振パイプ２５と袋ナット２６との間の接続部をシールする。
【００２０】
特許文献３では、従来の首振パイプ付き蛇口２０の共通構造を利用した簡易なマイクロバブル生成器の装着手段は検討されていなかった。
【先行技術文献】
【特許文献】
【００２１】
【特許文献１】特開２００９−１３６８６４号公報
【特許文献２】特開２００６−１１６５１８号公報
【特許文献３】特開２０１４−１４７９０１号公報
【発明の概要】
【発明が解決しようとする課題】
【００２２】
そこで、本発明は、首振パイプ付き蛇口から水道水などの液体が吐出されるときに、液体に溶解した空気などの気体からマイクロバブルを生成するとともに、簡易に、首振パイプ付き蛇口に取り付けられる首振パイプ付き蛇口用マイクロバブル生成器、及びそのマイクロバブル生成器を内蔵した首振パイプ付き蛇口を提供することを目的とするものである。
【課題を解決するための手段】
【００２３】
マイクロバブルの効果としては、ミクロの気泡による洗浄効果とともに、マイクロバブルが圧壊する時にだす超音波と高熱よる洗浄効果がある。その効果を発揮し、簡易に取り付ける際の条件として、一般的な水道水の給水圧力０．１ＭＰａ程度の圧力で、かつ、一般に配管されている水道水の給水管の管径で、さらに外部から空気を取り込まずに、水道水の中に含まれている含有空気をマイクロバブル化できる管路形状とその配置方法を検討した。そして、既存の首振パイプ付き蛇口に簡易に導入する新たな取り付け方法を検討し、本願発明を完成した。
【００２４】
そして、本発明は、上記の課題を解決するために、
（１）
首振パイプを袋ナットで蛇口の口部に取り付けた首振パイプ付き蛇口に用いられ、前記蛇口の口部と前記首振パイプの末端部に係止され、前記口部から液体が吐出するときに、前記液体に溶解している気体からマイクロバブルを生成する首振パイプ付き蛇口用マイクロバブル生成器であって、
外周に突条、内部に前記液体を通し、前記液体に溶解している気体からマイクロバブルを生成する流路を有するインサートを備え、
前記突条が、
前記口部の内部の内第一段差部と、前記首振パイプの末端部との間に位置し、前記袋ナットの前記口部への螺合で、前記口部とインサートの間をシールすることを特徴とする首振パイプ付き蛇口用マイクロバブル生成器。
（２）
液体を吐出する、外周に外ネジ部、内周に輪状の内第一段差部を有する口部を備える蛇口と、内側に向け輪状に窪む凹部を備え、袋ナットで前記蛇口の前記口部に取り付けられる首振パイプと、前記首振パイプに嵌められ、前記口部の内第一段差部に当接する輪状のＵパッキンと、前記凹部に嵌り前記Ｕパッキン及び前記口部の先端に接触するリングと、穴に前記首振パイプを通し、前記リングを内部に収納したうえで、前記口部の外ネジ部に内ネジで螺合する袋ナットとからなり、前記袋ナットの前記口部への螺合により前記首振パイプを回動可能に前記口部に接続するとともに、前記Ｕパッキン及びリングで接続部がシールされる首振パイプ付き蛇口に、
用いられ、
前記口部から液体が吐出するときに、前記液体に溶解している気体からマイクロバブルを生成する首振パイプ付き蛇口用マイクロバブル生成器であって、
外周に突条、内部に前記液体を通し、前記液体に溶解している気体からマイクロバブルを生成する流路を有するインサートを備え、
前記突条が、
前記口部の内部の内第一段差部と、前記首振パイプの末端部との間に位置し、前記袋ナットの前記口部への螺合で、前記口部とインサートの間をシールすることを特徴とする首振パイプ付き蛇口用マイクロバブル生成器。
（３）
液体を吐出する、外周に外ネジ部、内周に輪状の内第一段差部を有する口部を備える蛇口と、内側に向け輪状に窪む凹部を備えた首振パイプと、前記首振パイプに嵌められ、前記口部の内第一段差部に当接する輪状のＵパッキンと、前記凹部に嵌り前記Ｕパッキン及び前記口部の先端に接触するリングと、穴に前記首振パイプを通し、前記リングを内部に収納したうえで、前記口部の外ネジ部に内ネジで螺合する袋ナットとからなり、前記袋ナットの前記口部への螺合により前記首振パイプを回動可能に前記口部に接続するとともに、前記Ｕパッキン及びリングで接続部がシールされる首振パイプ付き蛇口に、
用いられ、
前記口部から液体が吐出するときに、前記液体に溶解している気体からマイクロバブルを生成する首振パイプ付き蛇口用マイクロバブル生成器であって、
前記口部の外ネジ部に螺合する内ネジ部、前記袋ナットの内ネジに螺合する外ネジ部、前記内ネジ部の下端に位置する上段差、及び前記外ネジ部の内側に設けられた下段差を備えるジョイント管と、
前記上段差に載置される第一パッキンと、
外周に前記第一パッキン上に係止される突条、内部に前記液体を通し、前記液体に溶解している気体からマイクロバブルを生成する流路を有し、前記ジョイント管内に挿入され、位置するインサートと、からなり、
前記ジョイント管が前記口部の外ネジ部及び前記袋ナットの内ネジに螺合することで、前記第一パッキンが前記口部の先端とジョイント管の前記上段差の間をシールし、前記袋ナット内の前記首振パイプに嵌められた前記Ｕパッキン及びリングが前記ジョイント管、前記首振パイプ及び前記袋ナットの間をシールするとともに、前記インサートが位置固定されることを特徴とする首振パイプ付き蛇口用マイクロバブル生成器。
（４）
前記液体を旋回させ流速を上げる偏芯穴を備えるトルネードプレートを、前記インサートの上流側に配置したことを特徴とする（３）に記載の首振パイプ付き蛇口用マイクロバブル生成器。
（５）
さらに、前記インサートの突条に位置する外縁を一端に備え、内部空洞で、他端に内縁を備え、前記内縁側端部が前記口部の内部の内第一段差部に係止されるキャップと、前記キャップの内縁の内部に係止されるとともに、他端が前記インサートの上流側に位置する、前記液体を旋回させ流速を上げる偏芯穴を有するトルネードプレートと、
を備えてなり、
前記キャップで、前記トルネードプレートを前記インサート上流側に位置決めすることを特徴とする（３）に記載の首振パイプ付き蛇口用マイクロバブル生成器。
（６）
さらに、前記外縁に載置される第二パッキンを備え、
前記第二パッキンが前記外縁と前記口部の内部の間の緩衝材となることを特徴とする（３）に記載の首振パイプ付き蛇口用マイクロバブル生成器。
（７）
前記流路が、
内部より両端に向かって径が広がることを特徴とする（３）に記載の首振パイプ付き蛇口用マイクロバブル生成器。
（８）
前記流路が、
前記液体の入口側端部から中心部にいくにしたがって内径が徐々に狭まる第一流路と、
前記第一流路に接続する円柱状の第二流路と、
前記第二流路に接続し前記液体の出口側他端に向け内径が徐々に広がる第三流路と、
からなることを特徴とする（３）に記載の首振パイプ付き蛇口用マイクロバブル生成器。
（９）
（１）〜（８）の何れか１に記載の首振パイプ付き蛇口用マイクロバブル生成器を内蔵したことを特徴とする首振パイプ付き蛇口。
と構成とした。
【発明の効果】
【００２５】
本発明は、上記構成であるので、簡易に、既存の首振パイプ付き蛇口に、マイクロバブル生成器を取り付けることができ、首振パイプ付き蛇口から水道水などの液体が吐出するときに、液体に溶解した空気などの気体からマイクロバブルを生成することができる。
【図面の簡単な説明】
【００２６】
【図１】首振パイプ付き蛇口用マイクロバブル生成器の（Ａ）正面斜視図及び（Ｂ）正面斜視断面図である。
【図２】首振パイプ付き蛇口用マイクロバブル生成器の（Ａ）平面図、（Ｂ）左右側面図、（Ｃ）正面図、（Ｄ）底面図、（Ｅ）（Ａ）のＡ−Ａ‘断面図である。
【図３】ジョイント管の（Ａ）平面図、（Ｂ）左右側面図、（Ｃ）正面図、（Ｄ）底面図、（Ｅ）Ａ−Ａ‘断面図である。
【図４】第一パッキンの（Ａ）平面図、（Ｂ）正面図、（Ｃ）底面図、（Ｄ）Ａ−Ａ‘断面図である。
【図５】インサートの（Ａ）平面図、（Ｂ）正面図、（Ｃ）底面図、（Ｄ）Ａ−Ａ‘断面図である。
【図６】キャップの（Ａ）平面図、（Ｂ）正面図、（Ｃ）底面図、（Ｄ）Ａ−Ａ‘断面図である。
【図７】トルネードプレートの拡大図で、（Ａ）平面図、（Ｂ）平面斜視図、（Ｃ）Ａ−Ａ‘断面図である。
【図８】第二パッキンの（Ａ）平面図、（Ｂ）正面図、（Ｃ）底面図、（Ｄ）Ａ−Ａ‘断面図である。
【図９】本発明であるマイクロバブル生成器を内蔵した首振パイプ付き蛇口の使用状態を示す図（部分断面図）である。
【図１０】従来の首振パイプ付き蛇口の説明図（部分断面図）である。
【発明を実施するための形態】
【００２７】
以下、添付図面に基づき本発明について詳細に説明する。なお、本発明は下記実施例に限定されるものではない。
【実施例１】
【００２８】
本発明であるマイクロバブル生成器を内蔵した首振パイプ付き蛇口１１（図９）は、首振パイプ付き蛇口用マイクロバブル生成器１（図１−８）を、従来の首振パイプ付き蛇口２０、その他の従来の首振パイプ付き蛇口に、既存部品をそのまま使用し、簡易に取り付けてなり、口部２４から液体が吐出するときに、液体に溶解している気体からマイクロバブルを生成する。
【００２９】
首振パイプ付き蛇口用マイクロバブル生成器１は、図１−８に示すように、ジョイント管３と、第一パッキン４と、インサートと、キャップ６と、トルネードプレート７と、第二パッキン８とからなる。
【００３０】
ジョイント管３は、図３等に示すように、内部空洞３ｆで、口部２４の外ネジ部２４ａに螺合する内部側面に設けた内ネジ部３ａ、袋ナット２６の内ネジ２６ａに螺合する下端部３ｅ側外周に位置する外ネジ部３ｂ、内ネジ部３ａの下端に位置するドーナツ状の上段差３ｃ、及び外ネジ部３ｂの内側に設けられたドーナツ状の下段差３ｄを備え、内部にインサート５が位置する。
【００３１】
第一パッキン４は、図４等に示すように、ドーナツ形状のシール材で、ジョイント管３の上段差３ｃに載置される。
【００３２】
インサート５は、図５等に示すように、内部に液体を通し、液体に溶解している気体からマイクロバブルを生成する流路５ｈを有し、外周にドーナツ状の突条５ｃを備える筒体で、突条５ｃより上流側が上筒５ａで、突条５ｃより下流側が上筒５ａより径が細い下筒５ｂとなる。図９に示すように、ジョイント管３内に挿入、位置され、上筒５ａは口部２４の内部でキャップ６内部に収まる外径で、下筒５ｂは、首振パイプ２５の内部に収納できる外径とする。
【００３３】
突条５ｃは、すくなくとも、蛇口２１の口部２４の内部の内第一段差部２４ｃと、首振パイプ２５の末端部２５ａとの間に位置し、袋ナット２６の口部２４への直接螺合又は間接的な接続で、接続部がシールされる。より好適には、図９に示すように、突条５ｃが、ジョイント管３の上段差に載置される第一パッキン４に当接し、ジョイント管３とインサート５をシールする。また、突条５ｃの底面内側は窪んだ溝５ｄを設け、首振パイプ２５のメーカーの製品寸法のバラツキがあっても吸収して、取り付け可能にする。
【００３４】
流路５ｈは、図１、２等に示すように、液体の入口側端部から中心部にいくにしたがって内径が徐々に狭まる第一流路５ｅと、第一流路５ｅに接続する円柱状の第二流路５ｆと、第二流路５ｆに接続し液体の出口側他端に向け内径が徐々に広がる第三流路５ｇからなる。
【００３５】
キャップ６は、図６等に示すように、インサート５の突条５ｃと第二パッキン８の間に位置する外縁６ａを一端に備え、内部空洞６ｄで、液体が通り、他端に穴６ｃが穿設された内縁６ｂを備え、内縁６ｂ側端部が口部２４の内部の内第一段差部２４ｃに係止される。内部空洞６ｄには、トルネードプレート７が配置される。穴６ｃの直径は、トルネードプレート７の直径より小さい。口部２４の開口が上に位置するタイプの蛇口の場合、即ち、水が下から上に流れる場合、トルネードプレート７が水流で回転して蛇口内に落下してしまう恐れがあり、そのような落下を防止するため穴６ｃの直径をトルネードプレート７の直径より小さくした。水が上から下へ流れる場合にはキャップ６はなくてもよい。
【００３６】
トルネードプレート７は、図７等に示すように、円盤状の本体７ａと、本体７ａを上下に貫通し、液体に回転を加え旋回流にさせ流速を上げるため、例えば１５°偏芯した４つの穴７ｂとからなる。本体７ａは、例えば、樹脂などを成型して作ることができる。
【００３７】
トルネードプレート７は、インサート５の上流側に位置し、ジョイント管３が、口部２４の外ネジ部２４ａと袋ナット２６の内ネジ２６ａに螺合することで、キャップ６の内縁６ｂの内部に係止され、インサート５の端部とで挟持され、キャップ６内に位置固定する。
【００３８】
第二パッキン８は、図８等に示すように、ドーナツ形状の緩衝材で、キャップ６の外縁６ａの上に載置される。首振パイプ２５の長さのバラツキにより、外縁６ａと内第一段差部２４ｃとの間に隙間が生じ、その隙間に水が流れると、振動音（キャップ６が上下に振動するガタツキ音）が発生する可能性がある。そこで、第二パッキン８は、キャップ６の外縁６ａと口部２４の内部の内第一段差部２４ｃとの間に位置し、振動音の発生を抑制、防止する。
【００３９】
上述の部品からなる首振パイプ付き蛇口用マイクロバブル生成器１は、図９に示すように、従来の首振パイプ付き蛇口２０に、極めて簡易に、従来の首振パイプ付き蛇口２０の既存部品を使用して、嵌められ、口部２４から液体が吐出するときに、液体に溶解した気体からマイクロバブルを生成する
【００４０】
首振パイプ付き蛇口用マイクロバブル生成器１を組み込んだ、マイクロバブル生成器を内蔵した首振パイプ付き蛇口１１は、
口部２４の外ネジ部２４ａに螺合する内ネジ部３ａ、袋ナット２６の内ネジ２６ａに螺合する外ネジ部３ｂ、内ネジ部３ａの下端に位置する上段差３ｃ、及び外ネジ部３ｂの内側に設けられた下段差３ｄを備えるジョイント管３と、
上段差３ｃに載置される第一パッキン４と、
外周に第一パッキン４上に係止される突条５ｃ、内部に液体を通し、液体に溶解している気体からマイクロバブルを生成する流路５ｈを有し、ジョイント管３内に挿入され、位置するインサート５と、
突条５ｃに載置される第二パッキン８と、
インサート５の突条５ｃと第二パッキン８の間に位置する外縁６ａを一端に備え、内部空洞６ｄで、他端に内縁６ｂを備え、内縁６ｂ側端部が口部２４の内部の内第一段差部２４ｃに係止されるキャップ６と、
キャップ６の内縁６ｂの内部に係止されるとともに、他端がインサート５の上流側に位置する、液体を旋回させ流速を上げる偏芯穴７ｂを有するトルネードプレート７とを備えてなり、
ジョイント管３が口部２４の外ネジ部２４ａ及び袋ナット２６の内ネジ２６ａに螺合することで、第一パッキン４が口部２４の先端２４ｂとジョイント管３の上段差３ｃの間をシールし、袋ナット２６内の首振パイプ２５に嵌められたＵパッキン２７及びリング２８がジョイント管３、首振パイプ２５及び袋ナット２６の間をシールするとともに、インサート５、キャップ６及びトルネードプレート７が位置固定される。
【００４１】
首振パイプ付き蛇口用マイクロバブル生成器１の従来の首振パイプ付き蛇口２０への取り付け手順は、以下の通りである。
【００４２】
予め、図１、２の状態に首振パイプ付き蛇口用マイクロバブル生成器１を組み立てる。続いて、従来の首振パイプ付き蛇口２１の口部２４から袋ナット２６を首振パイプ２５とともに外す。この時、リング２８も付いたまま外れる。さらにＵパッキン２７も口部２４内部又は首振パイプ２５から外す。次に、組み立てておいた首振パイプ付き蛇口用マイクロバブル生成器１の内ネジ部３ａを蛇口２１の口部２４の外ネジ部２４ａへ螺合させる。そして、取り外しておいたＵパッキン２７をリング２８が付いた首振パイプ２５に装着し、そのまま図９のように首振パイプ付き蛇口用マイクロバブル生成器１を中に差し込み、袋ナット２６の内ネジ２６ａをジョイント管３の外ネジ部３ｂに螺合させる。
【００４３】
これにより、各部材の接続部が第一パッキン４、Ｕパッキン２７及びリング２８でシールされつつ、インサート５を口部２４及び首振パイプ２５内に位置決めし、首振パイプ２５を回動可能に接続する。その結果、従来の首振パイプ付き蛇口２０にマイクロバブル生成器を極めて簡易に組み込むことができる。
【００４４】
本発明の首振パイプ付き蛇口用マイクロバブル生成器１を、既設置の従来の首振パイプ付き蛇口２０に取り付けることで、本発明であるマイクロバブル生成器を内蔵した首振パイプ付き蛇口１１を簡易に提供することができる。勿論、首振パイプ付き蛇口用マイクロバブル生成器１と従来の首振パイプ付き蛇口２０を予め組み立て提供することもできる。
【符号の説明】
【００４５】
１      首振パイプ付き蛇口用マイクロバブル生成器
３      ジョイント管
３ａ    内ネジ部
３ｂ    外ネジ部
３ｃ    上段差
３ｄ    下段差
３ｅ    下端部
３ｆ    内部空洞
４      第一パッキン
５      インサート
５ａ    上筒
５ｂ    下筒
５ｃ    突条
５ｄ    溝
５ｅ    第一流路
５ｆ    第二流路
５ｇ    第三流路
５ｈ    流路
６      キャップ
６ａ    外縁
６ｂ    内縁
６ｃ    穴
６ｄ    内部空洞
７      トルネードプレート
７ａ    本体
７ｂ    穴
８      第二パッキン
１１    マイクロバブル生成器を内蔵した首振パイプ付き蛇口
２０    従来の首振パイプ付き蛇口
２１    蛇口
２２    本体
２２ａ  フランジ
２３    ハンドル
２４    口部
２４ａ  外ネジ部
２４ｂ  先端
２４ｃ  内第一段差部
２４ｄ  内第二段差部
２５    首振パイプ
２５ａ  末端部
２５ｂ  凹部
２６    袋ナット
２６ａ  内ネジ
２７    Ｕパッキン
２８    リング
【図１】
0006570474.tif 000002
【図２】
0006570474.tif 000003
【図３】
0006570474.tif 000004
【図４】
0006570474.tif 000005
【図５】
0006570474.tif 000006
【図６】
0006570474.tif 000007
【図７】
0006570474.tif 000008
【図８】
0006570474.tif 000009
【図９】
0006570474.tif 000010
【図１０】
0006570474.tif 000011